(57)【特許請求の範囲】
【請求項１】
送信所からの地上デジタル放送波を直接受信すると共に、地上デジタル放送波がそのまま再送信された信号、及び、地上デジタル放送波を構成する複数のチャンネルからそれぞれ一部のセグメントが抽出されて連結され、連結再送信信号として再送信された信号をそれぞれ受信する受信装置において、
受信した信号における周波数領域の信号、地上デジタル放送波の信号の周波数領域上に予め配置されたＡＣ信号またはＴＭＣＣ信号、及び、連結再送信信号の周波数領域上に予め配置されたＡＣ信号またはＴＭＣＣ信号に基づいて、相関を示す判定値を算出する判定値算出手段と、
前記判定値算出手段により算出された判定値に基づいて、受信した信号が地上デジタル放送波の信号であるか、または、連結再送信信号であるかを判定する判定手段と、
を備えたことを特徴とする受信装置。
【請求項２】
送信所からの地上デジタル放送波を直接受信すると共に、地上デジタル放送波がそのまま再送信された信号、及び、地上デジタル放送波を構成する複数のチャンネルからそれぞれ一部のセグメントが抽出されて連結され、連結再送信信号として再送信された信号をそれぞれ受信する受信装置において、
受信した信号におけるＲＦ信号をＩＦ信号に変換する受信変換手段と、
前記受信変換手段により変換されたＩＦ信号の１つのチャンネルにおける中央のセグメントの信号と、その両側のセグメントの信号のうちの少なくとも一部を含む信号とを抽出するフィルタ手段と、
前記フィルタ手段により抽出された信号をデジタルＩＦ信号に変換するＡＤ変換手段と、
前記ＡＤ変換手段により変換されたデジタルＩＦ信号に直交復調を施し、複素の等価ベースバンド信号に変換する直交復調手段と、
前記直交復調手段により変換された複素の等価ベースバンド信号からシンボル同期を検出するシンボル同期検出手段と、
前記シンボル同期検出手段により検出されたシンボル同期により、前記複素の等価ベースバンド信号を周波数領域の信号に変換するＦＦＴ手段と、
前記ＦＦＴ手段により変換された周波数領域の信号と、地上デジタル放送波の信号の周波数領域上に予め配置されたＡＣ信号との間の相関を第１の相関係数として算出し、かつ、前記周波数領域の信号と、連結再送信信号の周波数領域上に予め配置されたＡＣ信号との間の相関を第２の相関係数として算出する相関係数算出手段と、
前記相関係数算出手段により算出された第１及び第２の相関係数を用いて、第１の相関係数が第２の相関係数よりも大きい場合は、前記受信した信号が地上デジタル放送波の信号であると判定し、第２の相関係数が第１の相関係数よりも大きい場合は、前記受信した信号が連結再送信信号であると判定する判定手段と、
を備えたことを特徴とする受信装置。
【請求項３】
請求項２に記載の受信装置において、
前記相関係数算出手段は、前記ＦＦＴ手段により変換された周波数領域の信号と、地上デジタル放送波の信号の周波数領域上に予め配置されたＴＭＣＣ信号との間の相関を第１の相関係数として算出し、かつ、前記周波数領域の信号と、連結再送信信号の周波数領域上に予め配置されたＴＭＣＣ信号との間の相関を第２の相関係数として算出することを特徴とする受信装置。
【請求項４】
請求項２に記載の受信装置において、
前記相関係数算出手段は、前記ＦＦＴ手段により変換された周波数領域の信号と、地上デジタル放送波の信号の周波数領域上に予め配置されたＡＣ信号及びＴＭＣＣ信号との間の相関を第１の相関係数として算出し、かつ、前記周波数領域の信号と、連結再送信信号の周波数領域上に予め配置されたＡＣ信号及びＴＭＣＣ信号との間の相関を第２の相関係数として算出することを特徴とする受信装置。
【請求項５】
請求項１から４までのいずれか１項に記載の受信装置において、
請求項１に記載の判定値または請求項２から４までに記載の相関係数は、１つのチャンネルにおける中央のセグメントに対しその両側のセグメントの信号のうちの少なくとも一部の信号のみを対象にして算出することを特徴とする受信装置。
【請求項６】
請求項１から５までのいずれか１項に記載の受信装置において、
請求項１または５に記載の判定値または請求項２から５までに記載の相関係数は、ＡＣ信号を用いる場合に、前記周波数領域上に配置されたＡＣ信号と同じキャリア番号の信号のみを対象にして算出し、ＴＭＣＣ信号を用いる場合に、前記周波数領域上に配置されたＴＭＣＣ信号と同じキャリア番号の信号のみを対象にして算出し、ＡＣ信号及びＴＭＣＣ信号を用いる場合に、前記周波数領域上に配置されたＡＣ信号及びＴＭＣＣ信号と同じキャリア番号の信号のみを対象にして算出することを特徴とする受信装置。
【発明の詳細な説明】
【技術分野】
【０００１】
本発明は、地上デジタル放送波受信装置に関わり、受信信号が地上デジタル放送波の信号であるか、または、ワンセグ信号を連結して再送信した信号であるかを識別する受信装置に関する。
【背景技術】
【０００２】
日本の地上デジタルテレビジョン放送の技術方式はＩＳＤＢ−Ｔ（Integrated  Services  Digital  Broadcasting  for  Terrestrial）方式と呼ばれ、変調方式としてＯＦＤＭ（Orthogonal  Frequency  Division  Multiplexing）変調方式を採用している。また、地上デジタル放送は、１チャンネルに相当する１３個のセグメント（合計帯域幅５.６ＭＨｚ、両端のガードバンドを含めると６ＭＨｚ）を使用した送信データを放送することにより実現される。
【０００３】
家庭内に設置されたテレビは、固定のアンテナを介してこの１３セグメントの信号を一括して受信する。これに対し、携帯電話やＰＤＡ（Personal  Digital  Assistant）等は、携帯・移動体向け放送を実現するために、この１３セグメントのうちの中央の１セグメントのみを受信する、いわゆるワンセグ受信を行う。
【０００４】
ここで、携帯・移動体向け放送のワンセグサービスを実現するためには、地上デジタル放送波が直接届かない屋外のビル陰、ビル内、地下街等においても良好にワンセグ受信できることが望ましい。これに対応するためには、地上デジタル放送波が直接届かない場所へワンセグ信号を再送信する必要がある。例えば、地上デジタル放送波の１３セグメントの信号を全て受信し、その受信信号を周波数変換して異なる周波数で再送信する再送信装置（非特許文献１を参照）や、その受信信号をそのまま単一周波数で再送信する再送信装置も知られている（特許文献１，２，３を参照）。さらに、地上デジタル放送波の１３セグメントの信号を全て受信し、チャンネル毎にワンセグ信号のみを抽出し、抽出したそれぞれのワンセグ信号を連結して再送信する再送信装置も知られている（特許文献４，５，６を参照）。
【０００５】
このような再送信装置からの信号は、（１）地上デジタル放送波をそのまま送信した再送信信号、または、（２）ワンセグ信号を連結して送信した再送信信号のうちのいずれかの信号である。例えば、全てのチャンネルの信号が（１）の場合、ワンセグ信号が１３セグメントの信号の中央に存在することから、受信装置は、１３セグメントの信号の中央が中心になるように、６ＭＨｚステップでスキャンして１チャンネル毎のワンセグ信号を復調する。一方、全てのチャンネルの信号が（２）の場合、連結された再送信信号の全てのセグメントがワンセグ信号であることから、各セグメントの信号の中央が中心になるように、６／１４ＭＨｚ（＝３／７ＭＨｚ≒４２８ｋＨｚ）ステップでスキャンし、これをチャンネル毎に繰り返してそれぞれのワンセグ信号を復調する。
【０００６】
【非特許文献１】都竹愛一郎他、「ＯＦＤＭによる地上デジタル放送−二周波放送中継の検討−」、１９９５年テレビジョン学会年次大会予稿集、ｐ．２７７〜２７８
【特許文献１】特開平１０−７５２６２号公報
【特許文献２】特開平１０−７５２６３号公報
【特許文献３】特開平１０−２８１０５号公報
【特許文献４】特開２００６−１０９２８３号公報
【特許文献５】特開２００６−２８６４６８号公報
【特許文献６】特開２００６−３４００１２号公報
【発明の開示】
【発明が解決しようとする課題】
【０００７】
しかしながら、再送信装置からの再送信信号は、チャンネル毎に前述の（１）または（２）の信号となって、混在することがあり得る。この場合、再送信信号を受信する受信装置は、チャンネル毎に、前述した（１）及び（２）の信号のうちのいずれかの信号を受信することになる。
【０００８】
ここで、再送信装置により再送信される（１）または（２）の信号が、チャンネル毎に予め設定されている場合は、ワンセグ信号を受信する携帯端末等の受信装置はその設定に従ってワンセグ信号を復調すればよい。すなわち、受信装置は、（１）の信号を送受信するチャンネルに対して、１３セグメントの信号の中央が中心になるように、６ＭＨｚステップでスキャンしてワンセグ信号を復調し、一方、（２）の信号を送受信するチャンネルに対して、各セグメントの信号の中央が中心になるように、約４２８ｋＨｚステップでスキャンしてそれぞれのワンセグ信号を復調すればよい。
【０００９】
一方、再送信装置により再送信される（１）または（２）の信号が、チャンネル毎に予め設定されていない場合は、ワンセグ信号を受信する携帯端末等の受信装置は、全てのチャンネルにおいて（２）の信号を受信する可能性があることから、全てのチャンネルに対して約４２８ｋＨｚステップでスキャン処理を行う必要がある。これは、６ＭＨｚステップでスキャン処理を行うと、（１）の信号の受信処理は可能であるが、（２）の信号の受信処理が不可能になってしまうからである。したがって、受信装置は、（１）の信号を受信したときに、本来は６ＭＨｚステップでスキャン処理を行えばよいが、約４２８ｋＨｚステップでスキャン処理してしまうため、本来よりも１３倍の無駄な時間がかかってしまう。
【００１０】
このように、従来の受信装置では、チャンネル毎に（１）または（２）の信号を受信する場合に、ワンセグ信号を復調するためのスキャン処理に無駄な時間を費やしてしまうという問題があった。
【００１１】
尚、前述の受信装置は、地上デジタル放送波が直接届く場所では、送信局からの地上デジタル放送波を直接受信する。この場合、受信装置は、前記（１）の再送信信号の受信処理と同じ受信処理を行う。
【００１２】
そこで、本発明はこのような問題に鑑みてなされたものであり、その目的は、受信信号が、地上デジタル放送波の信号（送信局が直接送信した地上デジタル放送波の信号、またはその地上デジタル放送波をそのまま再送信した信号）であるか、または、ワンセグ信号を連結して送信した再送信信号であるかを識別することにより、受信信号を復調する際の処理負担を軽減し処理時間を短縮可能な、地上デジタル放送波受信装置を提供することにある。
【課題を解決するための手段】
【００１３】
前記課題を解決するために、本発明では、地上デジタル放送波のＡＣ（Auxiliary  Channel）信号またはＴＭＣＣ（Transmission  Multiplexing  Configuration  Control）信号のキャリア配置パターンと、一部のセグメントを抽出して連結した信号のＡＣ信号またはＴＭＣＣ信号のキャリア配置パターンとの違いを利用することにより、受信信号が地上デジタル放送波の信号か連結再送信信号かを識別することを特徴とする。
【００１４】
具体的には、本発明による受信装置は、送信所からの地上デジタル放送波を直接受信すると共に、地上デジタル放送波がそのまま再送信された信号、及び、地上デジタル放送波を構成する複数のチャンネルからそれぞれ一部のセグメントが抽出されて連結され、連結再送信信号として再送信された信号をそれぞれ受信する受信装置において、受信した信号における周波数領域の信号、地上デジタル放送波の信号の周波数領域上に予め配置されたＡＣ信号またはＴＭＣＣ信号、及び、連結再送信信号の周波数領域上に予め配置されたＡＣ信号またはＴＭＣＣ信号に基づいて、相関を示す判定値を算出する判定値算出手段と、前記判定値算出手段により算出された判定値に基づいて、受信した信号が地上デジタル放送波の信号であるか、または、連結再送信信号であるかを判定する判定手段と、を備えたことを特徴とする。
【００１５】
また、本発明による受信装置は、送信所からの地上デジタル放送波を直接受信すると共に、地上デジタル放送波がそのまま再送信された信号、及び、地上デジタル放送波を構成する複数のチャンネルからそれぞれ一部のセグメントが抽出されて連結され、連結再送信信号として再送信された信号をそれぞれ受信する受信装置において、受信した信号におけるＲＦ信号をＩＦ信号に変換する受信変換手段と、前記受信変換手段により変換されたＩＦ信号の１つのチャンネルにおける中央のセグメントの信号と、その両側のセグメントの信号のうちの少なくとも一部を含む信号とを抽出するフィルタ手段と、前記フィルタ手段により抽出された信号をデジタルＩＦ信号に変換するＡＤ変換手段と、前記ＡＤ変換手段により変換されたデジタルＩＦ信号に直交復調を施し、複素の等価ベースバンド信号に変換する直交復調手段と、前記直交復調手段により変換された複素の等価ベースバンド信号からシンボル同期を検出するシンボル同期検出手段と、前記シンボル同期検出手段により検出されたシンボル同期により、前記複素の等価ベースバンド信号を周波数領域の信号に変換するＦＦＴ手段と、前記ＦＦＴ手段により変換された周波数領域の信号と、地上デジタル放送波の信号の周波数領域上に予め配置されたＡＣ信号との間の相関を第１の相関係数として算出し、かつ、前記周波数領域の信号と、連結再送信信号の周波数領域上に予め配置されたＡＣ信号との間の相関を第２の相関係数として算出する相関係数算出手段と、前記相関係数算出手段により算出された第１及び第２の相関係数を用いて、第１の相関係数が第２の相関係数よりも大きい場合は、前記受信した信号が地上デジタル放送波の信号であると判定し、第２の相関係数が第１の相関係数よりも大きい場合は、前記受信した信号が連結再送信信号であると判定する判定手段と、を備えたことを特徴とする。
【００１６】
また、本発明による受信装置は、前記相関係数算出手段が、前記ＦＦＴ手段により変換された周波数領域の信号と、地上デジタル放送波の信号の周波数領域上に予め配置されたＴＭＣＣ信号との間の相関を第１の相関係数として算出し、かつ、前記周波数領域の信号と、連結再送信信号の周波数領域上に予め配置されたＴＭＣＣ信号との間の相関を第２の相関係数として算出することを特徴とする。
【００１７】
また、本発明による受信装置は、前記相関係数算出手段が、前記ＦＦＴ手段により変換された周波数領域の信号と、地上デジタル放送波の信号の周波数領域上に予め配置されたＡＣ信号及びＴＭＣＣ信号との間の相関を第１の相関係数として算出し、かつ、前記周波数領域の信号と、連結再送信信号の周波数領域上に予め配置されたＡＣ信号及びＴＭＣＣ信号との間の相関を第２の相関係数として算出することを特徴とする。
【００１８】
また、本発明による受信装置は、前記判定値または相関係数を、１つのチャンネルにおける中央のセグメントに対しその両側のセグメントの信号のうちの少なくとも一部の信号のみを対象にして算出することを特徴とする。
【００１９】
また、本発明による受信装置は、前記判定値または相関係数を、ＡＣ信号を用いる場合に、前記周波数領域上に配置されたＡＣ信号と同じキャリア番号の信号のみを対象にして算出し、ＴＭＣＣ信号を用いる場合に、前記周波数領域上に配置されたＴＭＣＣ信号と同じキャリア番号の信号のみを対象にして算出し、ＡＣ信号及びＴＭＣＣ信号を用いる場合に、前記周波数領域上に配置されたＡＣ信号及びＴＭＣＣ信号と同じキャリア番号の信号のみを対象にして算出することを特徴とする。
【発明の効果】
【００２０】
以上のように、本発明によれば、受信信号が地上デジタル放送波の信号であるか、または、ワンセグ信号を連結して送信した再送信信号であるかを、ＡＣ信号またはＴＭＣＣ信号のキャリア配置パターンに基づいて識別することができる。これにより、受信信号を復調する際に、受信信号に応じた処理が可能となり、その処理負担を軽減し処理時間を短縮することが可能となる。
【発明を実施するための最良の形態】
【００２１】
以下、本発明を実施するための最良の形態について図面を用いて詳細に説明する。
本発明の実施の形態による受信装置は、ＩＳＤＢ−Ｔ方式の地上デジタル放送波が直接届かない場所で使用され、再送信装置により地上デジタル放送波をそのまま送信した信号、及び、再送信装置によりワンセグ信号だけを抽出及び連結して送信した信号を受信する場合を例に説明する。尚、この受信装置は、地上デジタル放送波が直接届く場合で使用された場合、送信所が送信した地上デジタル放送波を直接受信する。この場合の受信処理は、再送信装置によりそのまま再送信された地上デジタル放送波を受信する場合の受信処理と同様になる。
【００２２】
図４は、ＩＳＤＢ−Ｔ方式の地上デジタル放送波のセグメント配置と番号を示す図である。ＩＳＤＢ−Ｔ方式では、ＯＦＤＭ信号を構成する５６００本余りのサブキャリアを１３のグループに分割し、その１３のグループの１つ１つをセグメントと称している。セグメントは０〜１２のセグメント番号（＃０〜＃１２）で区別されており、セグメント番号０のセグメント＃０は部分受信部のセグメントであり、携帯・移動体向け放送用のデータが振り分けられている。この１３セグメントは１チャンネルに相当し、帯域幅は６ＭＨｚである。放送事業者には、１３セグメントから構成される帯域幅６ＭＨｚの１チャンネルが割り当てられ、各放送事業者は、それぞれ割り当てられたこの１チャンネルの中でＩＳＤＢ−Ｔ方式のＯＦＤＭ信号を放送する。
【００２３】
再送信装置は、このような地上デジタル放送波を受信状況の良い場所で受信し、地上デジタル放送波が直接届かない屋外のビル陰、ビル内、地下街等の受信装置に向けて再送信する。この再送信装置における再送信の形態には、図２に示すように、受信した地上デジタル放送波の信号をそのまま再送信する場合（以下、再送信された信号を「地上デジタル放送波再送信信号」という。）と、図３に示すように、各放送事業者に割り当てられた地上デジタル放送波の１チャンネルの信号からワンセグ信号だけを抽出して連結し、その連結した信号を再送信する場合（以下、このように再送信された信号を「連結再送信信号」という。）とがある。ここで、地上デジタル放送波再送信信号及び連結再送信信号は、共に同じ１３個のセグメントで構成されており、各セグメントに、付加信号であるＡＣ信号及び伝送パラメータの情報等を送る制御信号であるＴＭＣＣ信号が同じ数だけ配置されている。
【００２４】
表１は、ＩＳＤＢ−Ｔ方式の地上デジタル放送波（地上デジタル放送波再送信信号）におけるＡＣ信号のキャリア配置（モード３の例）を示す表である。表中の数値はキャリア番号を示す（表２〜表４において同じ。）。
【表１】
0004914321.tif 000002
【００２５】
表２は、連結再送信信号におけるＡＣ信号のキャリア配置（モード３の例）を示す表である。
【表２】
0004914321.tif 000003
【００２６】
表３は、ＩＳＤＢ−Ｔ方式の地上デジタル放送波（地上デジタル放送波再送信信号）におけるＴＭＣＣ信号のキャリア配置（モード３の例）を示す表である。
【表３】
0004914321.tif 000004
【００２７】
表４は、連結再送信信号におけるＴＭＣＣ信号のキャリア配置（モード３の例）を示す表である。
【表４】
0004914321.tif 000005
【００２８】
表１及び表３に示したように、地上デジタル放送波再送信信号におけるＡＣ信号及びＴＭＣＣ信号の配置は各セグメントによって異なるが、表２及び表４に示したように、連結再送信信号におけるＡＣ信号及びＴＭＣＣ信号のキャリア配置は全てのセグメントにおいて同じになる。図６は、地上デジタル放送波再送信信号と連結再送信信号との違いを示す図である。図６において矢印はＡＣ信号またはＴＭＣＣ信号を示す。図６によれば、地上デジタル放送波再送信信号と連結再送信信号とは、セグメント＃０のＡＣ信号またはＴＭＣＣ信号において同じ配置であるが、セグメント＃１，＃２において異なる配置であることがわかる。また、図６によれば、表１及び表３に示したように、地上デジタル放送波再送信信号におけるＡＣ信号及びＴＭＣＣ信号の配置はセグメント＃１，＃０，＃２によって異なり、表２及び表４に示したように、連結再送信信号におけるＡＣ信号及びＴＭＣＣ信号のキャリア配置はセグメント＃１，＃０，＃２において同じであることがわかる。
【００２９】
本発明はこの違いに着目したものであり、本発明の実施の形態による受信装置は、地上デジタル放送波再送信信号の周波数上に配置されたＡＣ信号または／及びＴＭＣＣ信号と実際に受信した信号との間の相関、及び、連結再送信信号の周波数上に配置されたＡＣ信号または／及びＴＭＣＣ信号と実際に受信した信号との間の相関を求め、その相関の大きさに基づいて、受信した信号すなわち再送信装置からの信号が、地上デジタル放送波再送信信号であるか、または、連結再送信信号であるかを識別する。
【００３０】
図１は、本発明の実施の形態による受信装置の構成を示すブロック図である。この受信装置１は、再送信装置から再送信信号を受信し、その再送信信号のうちのワンセグ信号を復調する装置であり、受信アンテナ部１００、チューナー部２００、デジタル処理部３００、復調回路４００及び検出部５００を備えて構成される。チューナー部２００は、受信変換回路２０１及びＢＰＦ回路２０２を備えており、デジタル処理部３００は、ＡＤ変換回路３０１、直交復調回路３０２、シンボル同期回路３０３及びＦＦＴ回路３０４を備えており、検出部５００は、相関係数算出回路５０１及び判定回路５０２を備えている。
【００３１】
チューナー部２００の受信変換回路２０１は、再送信装置により再送信されたＲＦ信号を、受信アンテナ部１００を介して受信し、受信したＲＦ信号を、低周波数ＬｏＩＦ（例えば０．５〜１ＭＨｚ）信号に周波数変換する。また、検出部５００の判定回路５０２から判定結果を入力し、その判定結果（再送信信号が地上デジタル放送波再送信信号であるか、または連結再送信信号であるかの識別結果）に基づいて、６ＭＨｚまたは約４２８ｋＨｚの周波数ステップになるようにローカル周波数を設定し、スキャンを行う。詳細については後述する。
【００３２】
ＢＰＦ回路２０２は、受信変換回路２０１から低周波数ＬｏＩＦ信号を入力し、少なくとも、中央の周波数を中心としたワンセグ信号を含む信号に加えて、その両側のセグメントの信号のうちの一部を含む信号を抽出する。具体的には、セグメント＃０の信号（ワンセグ信号）に加えて、その両側に配置されたセグメント＃１，＃２におけるそれぞれ一部の信号も抽出する。
【００３３】
図５は、図１に示したＢＰＦ回路２０２によるフィルタ通過後のセグメントを示す図である。図５において点線で示した曲線は、ＢＰＦ回路２０２によりフィルタ処理される信号の領域を示す。このように、ＢＰＦ回路２０２は、急峻なフィルタではないため、中央の周波数を中心としたセグメント＃０の信号に加え、その両側に配置されたセグメント＃１，＃２における一部の信号も抽出する（図５のＳ部分の信号を抽出する）。
【００３４】
図１に戻って、デジタル処理部３００のＡＤ変換回路３０１は、ＢＰＦ回路２０２からセグメント＃０の信号及び両端のセグメント＃１，＃２における一部の信号を入力し、サンプリング周波数（例えば低周波数ＬｏＩＦ信号の２〜４倍である１〜４ＭＨｚ）でＡＤ変換してデジタル信号を生成する。直交復調回路３０２は、ＡＤ変換回路３０１からデジタル信号を入力し、直交復調することにより複素の等価ベースバンド信号に変換する。直交復調回路３０２により変換された複素の等価ベースバンド信号は、シンボル同期回路３０３及びＦＦＴ回路３０４に入力される。
【００３５】
シンボル同期回路３０３は、直交復調回路３０２から複素の等価ベースバンド信号を入力し、その等価ベースバンド信号におけるシンボルの先頭位置を検出する。ＦＦＴ回路３０４は、直交復調回路３０２から複素の等価ベースバンド信号を入力し、シンボル同期回路３０３からシンボルの先頭位置の情報を入力し、そのシンボルの先頭位置を基準にして、時間領域の等価ベースバンド信号から周波数領域の等価ベースバンド信号に変換する。ＦＦＴ回路３０４により変換された周波数領域の等価ベースバンド信号は、図５に示したように、セグメント＃０の信号（ワンセグ信号）に加え、その両側に配置されたセグメント＃１，＃２におけるそれぞれ一部の信号も含む周波数領域の等価ベースバンド信号となり、復調回路４００及び検出部５００に入力される。
【００３６】
検出部５００の相関係数算出回路５０１は、ＦＦＴ回路３０４から周波数領域の等価ベースバンド信号を入力し、その周波数領域の等価ベースバンド信号と、地上デジタル放送波再送信信号の周波数上に予め配置されたＡＣ信号または／及びＴＭＣＣ信号との間の相関係数Ｔ１を算出し、また、連結再送信信号の周波数上の予め配置されたＡＣ信号または／及びＴＭＣＣ信号との間の相関係数Ｔ２を算出する。具体的には、以下に示す３つの実施例により、それぞれ相関係数Ｔ１，Ｔ２を算出する。
【００３７】
（実施例１）
実施例１は、セグメント＃０，＃１，＃２におけるＡＣ信号のキャリア配置を利用して相関係数Ｔ１，Ｔ２を算出するものである。相関係数算出回路５０１は、表１に示した地上デジタル放送波再送信信号におけるＡＣ信号の配置を利用して、入力した周波数領域の等価ベースバンド信号の振幅と、地上デジタル放送波再送信信号の周波数上に予め配置されたＡＣ信号の振幅とを積算し、その積分値を相関係数Ｔ１とする。
【数１】
0004914321.tif 000006
ここで、Ｓ（ｉ，ｋ）は等価ベースバンド信号、ｉはシンボル数（整数）、ｋはキャリア番号（整数：セグメント＃１，＃０，＃２におけるそれぞれのキャリア番号を連続番号に置き換えたものであり、ｋ＝０〜Ｎ−１がセグメント＃１のキャリア番号、ｋ＝Ｎ〜２Ｎ−１がセグメント＃０のキャリア番号、ｋ＝２Ｎ〜３Ｎ−１がセグメント＃２のキャリア番号である。）、｜｜は振幅値を、Ｎはキャリア数（整数）をそれぞれ示す（以下、同様。）。また、ｒｅｆ１（ｉ，ｋ）は、表１に示したセグメント＃１，＃０，＃２のキャリア番号に配置された周波数領域上のＡＣ信号の振幅値を示す。すなわち、表１に示したセグメント＃１，＃０，＃２のキャリア番号７６，７，６１，９７，８９，・・・，４２４についてのｒｅｆ１（ｉ，ｋ）には、ＡＣ信号の振幅値が予め設定され、これら以外のキャリア番号についてのｒｅｆ１（ｉ，ｋ）には０が予め設定される。
【００３８】
また、相関係数算出回路５０１は、表２に示した連結再送信信号におけるＡＣ信号の配置を利用して、入力した周波数領域の等価ベースバンド信号の振幅と、連結再送信信号の周波数上に配置されたＡＣ信号の振幅とを積算し、その積分値を相関係数Ｔ２とする。
【数２】
0004914321.tif 000007
ここで、ｒｅｆ２（ｉ，ｋ）は、表２に示したセグメント＃１，＃０，＃２のキャリア番号に配置された周波数領域上のＡＣ信号の振幅値を示す。すなわち、表２に示したセグメント＃１，＃０，＃２のキャリア番号７，８９，２０６，２０９，・・・，４０７についてのｒｅｆ２（ｉ，ｋ）には、ＡＣ信号の振幅値が予め設定され、これら以外のキャリア番号についてのｒｅｆ２（ｉ，ｋ）には０が予め設定される。このようにして算出された相関係数Ｔ１，Ｔ２は、判定回路５０２に入力される。
【００３９】
（実施例２）
実施例２は、セグメント＃０，＃１，＃２におけるＴＭＣＣ信号のキャリア配置を利用して相関係数Ｔ１，Ｔ２を算出するものである。相関係数算出回路５０１は、表３に示した地上デジタル放送波再送信信号におけるＴＭＣＣ信号の配置を利用して、入力した周波数領域の等価ベースバンド信号の振幅と、地上デジタル放送波再送信信号の周波数上に配置されたＴＭＣＣ信号の振幅とを前式（１）を用いて積算し、その積分値を相関係数Ｔ１とする。ここで、ｒｅｆ１（ｉ，ｋ）は、表３に示したセグメント＃１，＃０，＃２のキャリア番号に配置された周波数領域上のＴＭＣＣ信号の振幅値を示す。すなわち、表３に示したセグメント＃１，＃０，＃２のキャリア番号３１，１０１，１７，１９１，・・・，３７１についてのｒｅｆ１（ｉ，ｋ）には、ＴＭＣＣ信号の振幅値が予め設定され、これら以外のキャリア番号についてのｒｅｆ１（ｉ，ｋ）には０が設定される。
【００４０】
また、相関係数算出回路５０１は、表４に示した連結再送信信号におけるＴＭＣＣ信号の配置を利用して、入力した周波数領域の等価ベースバンド信号の振幅と、連結再送信信号の周波数上に配置されたＴＭＣＣ信号の振幅とを前式（２）を用いて積算し、その積分値を相関係数Ｔ２とする。ここで、ｒｅｆ２（ｉ，ｋ）は、表４に示したセグメント＃１，＃０，＃２のキャリア番号に配置された周波数領域上のＴＭＣＣ信号の振幅値を示す。すなわち、表４に示したセグメント＃１，＃０，＃２のキャリア番号１０１，１３１，２８６，３４９についてのｒｅｆ２（ｉ，ｋ）には、ＴＭＣＣ信号の振幅値が予め設定され、これら以外のキャリア番号についてのｒｅｆ２（ｉ，ｋ）には０が設定される。このようにして算出された相関係数Ｔ１，Ｔ２は、判定回路５０２に入力される。
【００４１】
（実施例３）
実施例３は、セグメント＃０，＃１，＃２におけるＡＣ信号及びＴＭＣＣ信号のキャリア配置を利用して相関係数Ｔ１，Ｔ２を算出するものである。相関係数算出回路５０１は、表１に示した地上デジタル放送波再送信信号におけるＡＣ信号の配置及び表３に示した地上デジタル放送波再送信信号におけるＴＭＣＣ信号の配置を利用して、入力した周波数領域の等価ベースバンド信号の振幅と、地上デジタル放送波再送信信号の周波数上に配置されたＡＣ信号の振幅及びＴＭＣＣ信号の振幅とを前式（１）を用いて積算し、その積分値を相関係数Ｔ１とする。ここで、ｒｅｆ１（ｉ，ｋ）は、表１及び表３に示したセグメント＃１，＃０，＃２のキャリア番号に配置された周波数領域上のＡＣ信号及びＴＭＣＣ信号の振幅値を示す。すなわち、表１に示したセグメント＃１，＃０，＃２のキャリア番号７６，７，６１，９７，８９，・・・，４２４についてのｒｅｆ１（ｉ，ｋ）には、ＡＣ信号の振幅値が予め設定され、表３に示したセグメント＃１，＃０，＃２のキャリア番号３１，１０１，１７，１９１，・・・，３７１についてのｒｅｆ１（ｉ，ｋ）には、ＴＭＣＣ信号の振幅値が予め設定され、これら以外のキャリア番号についてのｒｅｆ１（ｉ，ｋ）には０が設定される。
【００４２】
また、相関係数算出回路５０１は、表２に示した連結再送信信号におけるＴＭＣＣ信号のキャリア配置及び表４に示した連結再送信信号におけるＴＭＣＣ信号のキャリア配置を利用して、入力した周波数領域の等価ベースバンド信号の振幅と、連結再送信信号の周波数上に配置されたＡＣ信号の振幅及びＴＭＣＣ信号の振幅とを前式（２）を用いて積算し、その積分値を相関係数Ｔ２とする。ここで、ｒｅｆ２（ｉ，ｋ）は、表２及び表４に示したセグメント＃１，＃０，＃２のキャリア番号に配置された周波数領域上のＡＣ信号及びＴＭＣＣ信号の振幅値を示す。すなわち、表２に示したセグメント＃１，＃０，＃２のキャリア番号７，８９，２０６，２０９，・・・，４０７についてのｒｅｆ２（ｉ，ｋ）には、ＡＣ信号の振幅値が予め設定され、表４に示したセグメント＃１，＃０，＃２のキャリア番号１０１，１３１，２８６，３４９についてのｒｅｆ２（ｉ，ｋ）には、ＴＭＣＣ信号の振幅値が予め設定され、これら以外のキャリア番号についてのｒｅｆ２（ｉ，ｋ）には０が設定される。このようにして算出された相関係数Ｔ１，Ｔ２は、判定回路５０２に入力される。
【００４３】
判定回路５０２は、相関係数算出回路５０１により前記実施例１、２または３の手法で算出された相関係数Ｔ１，Ｔ２を入力し、これら２つの相関係数を比較し、
Ｔ１＞Ｔ２
を判定した場合、すなわち、周波数領域の等価ベースバンド信号と地上デジタル放送波再送信信号の周波数上に配置されたＡＣ信号または／及びＴＭＣＣ信号との間の相関の方が大きいと判定した場合、受信装置１が受信している信号すなわち再送信信号は地上デジタル放送波再送信信号であると判定する。また、
Ｔ１＜Ｔ２
を判定した場合、すなわち、周波数領域の等価ベースバンド信号と連結再送信信号の周波数上に配置されたＡＣ信号または／及びＴＭＣＣ信号との間の相関の方が大きいと判定した場合、受信装置１が受信している信号すなわち再送信信号は連結再送信信号であると判定する。そして、判定回路５０２により判定された判定結果は、チューナー部２００の受信変換回路２０１に入力される。
【００４４】
そして、チューナー部２００の受信変換回路２０１は、判定回路５０２から判定結果を入力し、再送信信号が地上デジタル放送波再送信信号である場合、６ＭＨｚの周波数帯で構成される１チャンネルのうちのセグメント＃０のみがワンセグ信号であることから、スキャンを行う周波数ステップが６ＭＨｚになるように、ローカル周波数を設定し、次のチャンネルのセグメント＃０をスキャンする。例えば、ＵＨＦ１３チャンネルのセグメント＃０を現在スキャンしているときは、次のスキャンの対象はＵＨＦ１４チャンネルのセグメント＃０となる。この場合、復調回路４００は、再送信信号が検出部５００により識別されたときのセグメント＃０の信号を復調することにより、ワンセグ信号の情報を得る。
【００４５】
一方、受信変換回路２０１は、再送信信号が連結再送信信号である場合、６ＭＨｚの周波数帯で構成される１チャンネルのうちの１３セグメントの全てがワンセグ信号であることから、スキャンを行う周波数ステップが約４２８ｋＨｚになるように、ローカル周波数を設定し、そのチャンネルの先頭のセグメントから順番にスキャンする。例えば、ＵＨＦ１３チャンネルのセグメント＃０を現在スキャンしているときは、そのチャンネルのうちの最も低い周波数のセグメント＃１１から順番にセグメント＃９，＃７，・・・・，＃１２をスキャンする（図４を参照）。そして、全てのセグメントのスキャンが終了すると、次のチャンネルのセグメント＃０（前述の例の場合は、ＵＨＦ１４チャンネルのセグメント＃０）をスキャンする。この場合、復調回路４００は、全てのセグメントの信号を復調することにより、ワンセグ信号の情報を得る。
【００４６】
以上のように、本発明の実施の形態による受信装置１によれば、検出部５００の相関係数算出回路５０１が、地上デジタル放送波再送信信号の周波数上に予め配置されたＡＣ信号またはＴＭＣＣ信号と実際に受信した信号との間の相関、及び、連結再送信信号の周波数上に予め配置されたＡＣ信号またはＴＭＣＣ信号と実際に受信した信号との間の相関を求め（実施例１または２）、判定回路５０２が、その相関が大きい方を特定することにより、受信した信号すなわち再送信装置からの信号が、地上デジタル放送波再送信信号であるか、または連結再送信信号であるかを識別するようにした。これにより、再送信信号が地上デジタル放送波再送信信号である場合は、そのチャンネルのセグメント＃０のみがワンセグ信号であるから、周波数ステップを６ＭＨｚにしてその信号のみを復調することにより、ワンセグ信号の情報を得ることができる。また、再送信信号が連結再送信信号である場合は、そのチャンネルのうちの１３セグメント全てがワンセグ信号であるから、周波数ステップを約４２８ｋＨｚにして全てのセグメントの信号を復調することにより、ワンセグ信号の情報を得ることができる。したがって、必要最小限のスキャン処理により、ワンセグ信号の情報を得ることができ、受信装置１における処理負担を軽減し処理時間を短縮することができる。
【００４７】
また、本発明の実施の形態による受信装置１によれば、検出部５００の相関係数算出回路５０１が、地上デジタル放送波再送信信号の周波数上に予め配置されたＡＣ信号及びＴＭＣＣ信号と実際に受信した信号との間の相関、及び、連結再送信信号の周波数上に予め配置されたＡＣ信号及びＴＭＣＣ信号と実際に受信した信号との間の相関を求め（実施例３）、判定回路５０２が、その相関が大きい方を特定することにより、受信した信号すなわち再送信装置からの信号が、地上デジタル放送波再送信信号であるか、または連結再送信信号であるかを識別するようにした。これにより、再送信信号を一層正確に識別することができるから、再送信装置と受信装置１との間の伝送ノイズの影響を少なくすることができる。また、必要最小限のスキャン処理によりワンセグ信号の情報を得ることができるから、受信装置１における処理負担を軽減し処理時間を短縮することができる。
【００４８】
以上、実施の形態を挙げて本発明を説明したが、本発明は上記実施の形態に限定されるものではなく、その技術思想を逸脱しない範囲で種々変形可能である。例えば、前記実施例１〜３の相関係数の算出手法においては、相関係数算出回路５０１が、セグメント＃１，＃０，＃２を対象にして、全てのキャリア（ｋ＝０〜３Ｎ−１）についての相関係数Ｔ１，Ｔ２を算出するようにしたが、セグメント＃１，＃２のみを対象にして、全てのキャリア（ｋ＝０〜Ｎ−１，２Ｎ〜３Ｎ−１）についての相関係数Ｔ１，Ｔ２を算出するようにしてもよいし、セグメント＃１の信号のうちの少なくとも一部の信号またはセグメント＃２の信号のうちの少なくとも一部の信号のみを対象にして相関係数Ｔ１，Ｔ２を算出するようにしてもよい。これにより、相関係数Ｔ１，Ｔ２を算出する演算負荷を軽減することができる。尚、セグメント＃０については、地上デジタル放送波再送信信号及び連結再送信信号のいずれの場合も、ＡＣ信号及びＴＭＣＣ信号が同一の番号に配置されているから、その相関はＴ１＝Ｔ２となり、差が生じない。
【００４９】
また、相関係数算出回路５０１が、前述したように、セグメント＃１，＃０，＃２またはセグメント＃１，＃２等を対象にして、ＡＣ信号または／及びＴＭＣＣ信号が配置されているキャリア番号の当該信号のみを対象にして、相関係数Ｔ１，Ｔ２を算出するようにしてもよい。これにより、相関係数Ｔ１，Ｔ２を算出する演算負荷を一層軽減することができる。尚、ＡＣ信号または／及びＴＭＣＣ信号が配置されているキャリア番号以外の信号については、その相関はＴ１＝Ｔ２となり、差が生じない。
【００５０】
また、前記実施の形態による受信装置１は、ＩＳＤＢ−Ｔ方式の地上デジタル放送波に適用があるが、ＩＳＤＢ−ＴＳＢの地上デジタル放送波についても適用がある。
【００５１】
また、前記実施の形態による受信装置１は、地上デジタル放送波が直接届かない場所で使用される場合を想定し、再送信装置から送信された地上デジタル放送波再送信信号及び連結再送信信号を受信して識別するようにしたが、地上デジタル放送波が直接届く場所で使用される場合は、送信所からの地上デジタル放送波の信号を直接受信することができる。この場合、受信装置１は、送信所から地上デジタル放送波の信号を直接受信するときの処理と、再送信信号から送信された地上デジタル放送波再送信信号を受信するときの処理とを同様にすることができる。したがって、受信装置１は、再送信信号が地上デジタル放送波再送信信号であるか、または連結再送信信号であるかを識別するだけでなく、受信信号が地上デジタル放送波の信号であるか、または連結再送信信号であるかを識別することができる。
【図面の簡単な説明】
【００５２】
【図１】本発明の実施の形態による受信装置の構成を示すブロック図である。
【図２】地上デジタル放送波をそのまま再送信する場合を示す図である。
【図３】地上デジタル放送波のワンセグ信号を抽出及び連結して再送信する場合を示す図である。
【図４】地上デジタル放送波のセグメント配置と番号を示す図である。
【図５】ＢＰＦ回路によるフィルタ通過後のセグメントを示す図である。
【図６】ＢＰＦ回路によるフィルタ通過後において、地上デジタル放送波をそのまま送信した信号と、ワンセグ信号を連結して送信した信号との違いを示す図である。
【符号の説明】
【００５３】
１  受信装置
１００  受信アンテナ部
２００  チューナー部
２０１  受信変換回路
２０２  ＢＰＦ回路
３００  デジタル処理部
３０１  ＡＤ変換回路
３０２  直交復調回路
３０３  シンボル同期回路
３０４  ＦＦＴ回路
４００  復調回路
５００  検出部
５０１  相関係数算出回路
５０２  判定回路
【図１】
0004914321.tif 000008
【図２】
0004914321.tif 000009
【図３】
0004914321.tif 000010
【図４】
0004914321.tif 000011
【図５】
0004914321.tif 000012
【図６】
0004914321.tif 000013